(57)【要約】【課題】  引出形電気機器の断路位置での固定を確実なものにする。【解決手段】  電気機器２を収納した移動自在の箱体１と、前記箱体１の側面に固定された断路位置固定突起４と、前記箱体１の側面に沿って配置されるとともに、スイッチギヤの床板１１に固定されたガイド板２０と、前記ガイド板２０に少なくとも上下方向に移動自在に設けられるとともに、前記断路位置固定突起４に当接する当接部および前記断路位置固定突起４を挟み込む凹部を有する脱落防止板２２とを備えたことを特徴とする。【選択図】  図１
2006262594.tif 000002
【特許請求の範囲】
【請求項１】
電気機器を収納した移動自在の箱体と、
前記箱体の側面に固定された断路位置固定突起と、
前記箱体の側面に沿って配置されるとともに、スイッチギヤの床板に固定されたガイド板と、
前記ガイド板に少なくとも上下方向に移動自在に設けられるとともに、前記断路位置固定突起に当接する当接部および前記断路位置固定突起を挟み込む凹部を有する脱落防止板とを備えたことを特徴とする引出形電気機器の固定装置。
【請求項２】
前記当接部は、前記断路位置固定突起が当接すると前記脱落防止板を上方向に移動させるようなテーパ部が設けられていることを特徴とする請求項１に記載の引出形電気機器の固定装置。
【請求項３】
前記当接部は、前記断路位置固定突起が当接すると前記脱落防止板を上方向に移動させるような曲率部が設けられていることを特徴とする請求項１に記載の引出形電気機器の固定装置。
【請求項４】
前記当接部に低摩擦層を設けたことを特徴とする請求項１乃至請求項３のいずれか１項に記載の引出形電気機器の固定装置。
【請求項５】
前記断路位置固定突起は、前記箱体に設けられた車輪の主軸端であることを特徴とする請求項１乃至請求項４のいずれか１項に記載の引出形電気機器の固定装置。
【請求項６】
前記前記脱落防止板と前記スイッチギヤの床板間に、鍵を設けたことを特徴とする請求項１乃至請求項５のいずれか１項に記載の引出形電気機器の固定装置。
【発明の詳細な説明】
【技術分野】
【０００１】
本発明は、開閉器、接地形変成器、避雷器などの電気機器を収納した引出形電気機器を確実に固定し得る引出形電気機器の固定装置に関する。
【背景技術】
【０００２】
従来のこの種の引出形電気機器は、運転時にはスイッチギヤ内の主回路と接続されているが、点検時などにおいては、スイッチギヤ内から引き出され、主回路と切り離されるようになっている（例えば、特許文献１参照。）。
【０００３】
このような引出形電気機器には、図８に示すように、箱体１内に開閉器、接地形変成器、避雷器などの電気機器２が収納され、箱体１を図示左右方向に移動させる車輪３が設けられている。車輪３は、主軸４に回転自在に取り付けられている。また、箱体１の背面側には、電気機器２の主回路に接続された主回路導体５が設けられ、その端部に接触子６が固定されている。
【０００４】
箱体１の正面側には、脱落防止棒７が貫通できる孔８を有する固定板９が設けられている。また、箱体１の中間部には、この箱体１を移動させるための把手１０が設けられている。
【０００５】
このような引出形電気機器は、スイッチギヤの床板１１上を車輪３が回転して移動できるようになっている。また、床板１１には、引出形電気機器の断路位置（Ａ点）であって、固定板９の孔８と対向する位置に、脱落防止棒７の先端が嵌め込まれる穴１２を有する位置決め板１３が設けられている。なお、スイッチギヤの仕切板１４には、接触子６と接続される主回路端子１５が設けられている。そして、図示点線で示すように接触子６と主回路端子１５とが接続された位置（Ｂ点）が引出形電気機器の接続位置となる。
【０００６】
引出形電気機器の点検時などにおいては、箱体１を断路位置（Ａ点）まで引き出して、固定板９の孔８に脱落防止棒７を貫通させ、その先端を位置決め板１３の穴１２に嵌め込んで箱体１を固定していた。なお、固定板９の孔８にボルトを貫通させ床板１１に締付けて固定する方法もある。
【特許文献１】特開平１１−１８７５２０号公報  （第３ページ、図１、図２）
【発明の開示】
【発明が解決しようとする課題】
【０００７】
上記の従来の引出形電気機器の断路位置での固定においては、次のような問題がある。
【０００８】
引出形電気機器を断路位置まで引き出し、固定板９の孔８に貫通させた脱落防止棒７を位置決め板１３の穴１２に嵌め込んでいたが、電気機器２が重量物であると、引出形電気機器の移動を微調整して孔８と穴１２との中心軸を一致させることが困難な作業であった。それぞれの中心軸が一致しないと、引出形電気機器の固定はできない。
【０００９】
なお、それぞれの中心軸を一致させる作業を容易とするため、脱落防止棒７の外径よりも孔８および穴１２の内径を大きくすることが考えられる。しかしながら、脱落防止棒７の外径と孔８および穴１２の内径との差でガタを生じ、断路位置での引出形電気機器の固定が不確実なものとなる。
【００１０】
このため、引出形電気機器の引き出しにおいて、断路位置まで容易に移動でき、確実にその位置に固定できる固定装置が望まれていた。
【００１１】
本発明は上記問題を解決するためになされたもので、引出形電気機器を断路位置まで容易に引き出すことができ、確実にその位置に固定できる引出形電気機器の固定装置を提供することを目的とする。
【課題を解決するための手段】
【００１２】
上記目的を達成するために、本発明の引出形電気機器の固定装置は、電気機器を収納した移動自在の箱体と、前記箱体の側面に固定された断路位置固定突起と、前記箱体の側面に沿って配置されるとともに、スイッチギヤの床板に固定されたガイド板と、前記ガイド板に少なくとも上下方向に移動自在に設けられるとともに、前記断路位置固定突起に当接する当接部および前記断路位置固定突起を挟み込む凹部を有する脱落防止板とを備えたことを特徴とする。
【発明の効果】
【００１３】
本発明によれば、引出形電気機器を断路位置まで引き出したとき、引出形電気機器の箱体に固定された断路位置固定突起が挟み込まれる脱落防止板を設けているので、引出形電気機器を断路位置まで容易に引き出せ、確実にその位置に固定することができる。
【発明を実施するための最良の形態】
【００１４】
以下、図面を参照して本発明の実施例を説明する。
【実施例１】
【００１５】
先ず、本発明の実施例１に係る引出形電気機器の固定装置を図１乃至図４を参照して説明する。図１は、本発明の実施例１に係る引出形電気機器の固定装置の構成を示す側面図、図２は、本発明の実施例１に係る引出形電気機器の固定装置の構成を示す拡大正面図、図３は、本発明の実施例１に係る引出形電気機器の固定装置の構成を示す拡大側面図、図４は、本発明の実施例１に係る引出形電気機器の固定装置の動作を説明する図である。なお、各図において、従来と同様の構成部分については、同一符号を付した。
【００１６】
図１に示すように、引出形電気機器には、箱体１内に開閉器、接地形変成器、避雷器などの電気機器２が収納され、箱体１の下部に、この箱体１を図示左右方向に移動させる車輪３が設けられている。車輪３は、主軸４に回転自在に取り付けられている。また、箱体１の背面側には、電気機器２の主回路に接続された主回路導体５が設けられ、その端部に接触子６が固定されている。箱体１の正面側の中間部には、箱体１を移動させるための把手１０が設けられている。
【００１７】
なお、開閉器のような電気機器２では、図示のように主回路導体５が離間して二本設けられるが、接地形変成器や避雷器のような電気機器２では、主回路導体５が一本となり、他は接地導体が設けられる。
【００１８】
このような引出形電気機器は、スイッチギヤの床板１１上を車輪３が回転できるようになっている。また、床板１１には、図２、図３に示すように、断面Ｓ字状のガイド板２０が箱体１の側面に沿って固定されている。ガイド板２０の断面Ｓ字状の下段湾曲部２０ａには、その湾曲した空間部を、箱体１の側面から突出した主軸４端が移動自在に移動できるようになっている。断面Ｓ字状の上段湾曲部２０ｂには、固定ピン２１が固定されている。
【００１９】
また、略７字状の脱落防止板２２が断面Ｓ字状のガイド板２０を図示上下方向に移動自在に貫通している。この脱落防止板２２には、固定ピン２１が貫通する楕円状の開口孔２２ａが図示上下方向に設けられている。また、脱落防止板２２には、主軸４を挟み込む凹部２２ｂ、および主軸４が当接すると脱落防止板２２を図示上方向に移動させるようなテーパ部２２ｃが設けられている。このテーパ部２２ｃは、主軸４が当接する当接部となる。
【００２０】
この脱落防止板２２は、図１に示すように、引出形電気機器の断路位置（Ａ点）に位置している。なお、スイッチギヤの仕切板１４には、接触子６と接続されるスイッチギヤ側の主回路端子１５が設けられている。そして、図示点線で示すように接触子６と主回路端子１５とが接続された位置（Ｂ点）が引出形電気機器の接続位置となる。
【００２１】
そして、引出形電気機器の点検時などにおいては、把手１０を用いて箱体１が断路位置まで引き出される。このとき、引出形電気機器が固定される方法を図４を参照して説明する。
【００２２】
引出形電気機器をスイッチギヤ内から引き出すと、図４（ａ）に示すように、車輪３が反時計方向に回転し、主軸４が矢印の図示左方向に移動して脱落防止板２２のテーパ部２２ｃに当接する。更に引き出すと、図４（ｂ）に示すように、脱落防止板２２は、テーパ部２２ｃに沿って図示上方向に持ち上げられる。
【００２３】
更に引き出すと、主軸４がテーパ部２２ｃの頂点部を越えて、図４（ｃ）に示すように、脱落防止板２２が図示下方に落ち込み、主軸４が凹部２２ｂに挟み込まれる。この位置が引出形電気機器の断路位置となり、主軸４が凹部２２ｂに挟まれ確実に固定されることになる。このため、断路位置まで引き出すときの位置の調整が不要となる。
【００２４】
ここで、主軸４に限らず、箱体１の側面に棒状の凸部を設けてもよい。引出形電気機器を引き出すと、この凸部が脱落防止板２２のテーパ部２２ｃに当接し、脱落防止板２２を一旦持ち上げ、そして頂点部を越えると凹部２２ｂに挟み込まれる。このため、凸部や主軸４端などは、引出形電気機器を断路位置で固定することのできる突起物であるので、断路位置固定突起と定義する。
【００２５】
断路位置に固定された引出形電気機器を再び接続位置に戻すとき、もしくはスイッチギヤ外に取り出すときには、図４（ｄ）に示すように、脱落防止板２２を開口孔２２ａに沿って矢印の図示上方向に持ち上げる。その状態を保って、固定ピン２１を支点として脱落防止板２２を反時計方向に回動させれば、主軸４がフリーとなり引出形電気機器の移動が自在となる。
【００２６】
引出形電気機器を接続位置に戻すときには、脱落防止板２２を図４（ａ）の状態に戻し、また、スイッチギヤ外に取り出すときには、図４（ｄ）の状態にしておけばよい。
【００２７】
上記実施例１の引出形電気機器の固定装置によれば、スイッチギヤ内の引出形電気機器の断路位置に、箱体１に固定された断路位置固定突起が挟み込まれる脱落防止板２２を設けているので、引出形電気機器を断路位置まで容易に引き出せ、確実にその位置に固定することができる。
【実施例２】
【００２８】
次に、本発明の実施例２に係る引出形電気機器の固定装置を図５を参照して説明する。図５は、本発明の実施例２に係る引出形電気機器の固定装置の構成を示す拡大側面図である。なお、この実施例２が実施例１と異なる点は、断路位置においてインターロックを設けたことである。図５において、実施例１と同様の構成部分においては、同一符号を付し、その詳細な説明を省略する。
【００２９】
図５に示すように、引出形電気機器の断路位置において、床板１１から突出した脱落防止板２２の開口孔２２ａに、例えば南京錠のような鍵２３を設けている。
【００３０】
上記実施例２の引出形電気機器の固定装置によれば、実施例１による効果のほかに、断路位置において、第三者が容易に引出形電気機器を操作することができない、所謂機械的なインターロックを設けることができる。
【実施例３】
【００３１】
次に、本発明の実施例３に係る引出形電気機器の固定装置を図６を参照して説明する。図６は、本発明の実施例３に係る引出形電気機器の固定装置の脱落防止板を示す側面図である。なお、この実施例３が実施例１と異なる点は、脱落防止板の形状である。図６において、実施例１と同様の構成部分においては、同一符号を付し、その詳細な説明を省略する。
【００３２】
図６に示すように、脱落防止板２２は、主軸４が当接する当接部が曲率部２２ｄとなっている。このため、脱落防止板２２を図示上方向へ移動させる動きが滑らかとなり、引出形電気機器を引き出す操作力を小さくすることができる。
【００３３】
上記実施例３の引出形電気機器の固定装置によれば、実施例１による効果のほかに、脱落防止板２２の移動を容易にすることができる。
【実施例４】
【００３４】
次に、本発明の実施例４に係る引出形電気機器の固定装置を図７を参照して説明する。図７は、本発明の実施例４に係る引出形電気機器の固定装置の脱落防止板を示す側面図である。なお、この実施例４が実施例３と異なる点は、脱落防止板に低摩擦層を設けたことである。図７において、実施例３と同様の構成部分においては、同一符号を付し、その詳細な説明を省略する。
【００３５】
図７に示すように、脱落防止板２２は、主軸４が当接する当接部が曲率部２２ｄとなっており、その外周面には、例えばテトラフルオロエチレン樹脂のような滑り易い材料からなる低摩擦層２２ｅが設けられている。
【００３６】
なお、実施例１のテーパ部にもこの低摩擦層を設けることができる。
【００３７】
上記実施例４の引出形電気機器の固定装置によれば、実施例１による効果のほかに、脱落防止板２２の移動が更に容易となる。
【図面の簡単な説明】
【００３８】
【図１】本発明の実施例１に係る引出形電気機器の固定装置の構成を示す側面図。
【図２】本発明の実施例１に係る引出形電気機器の固定装置の構成を示す拡大正面図。
【図３】本発明の実施例１に係る引出形電気機器の固定装置の構成を示す拡大側面図。
【図４】本発明の実施例１に係る引出形電気機器の固定装置の動作を説明する図。
【図５】本発明の実施例２に係る引出形電気機器の固定装置の構成を示す拡大側面図。
【図６】本発明の実施例３に係る引出形電気機器の固定装置の脱落防止板を示す側面図。
【図７】本発明の実施例４に係る引出形電気機器の固定装置の脱落防止板を示す側面図。
【図８】従来の引出形電気機器の固定装置の構成を示す側面図。
【符号の説明】
【００３９】
１  箱体
２  電気機器
３  車輪
４  主軸
５  主回路導体
６  接触子
７  脱落防止棒
８  孔
９  固定板
１０  把手
１１  床板
１２  穴
１３  位置決め板
１４  仕切板
１５  主回路端子
２０  ガイド板
２０ａ  下段湾曲部
２０ｂ  上段湾曲部
２１  固定ピン
２２  脱落防止板
２２ａ  開口孔
２２ｂ  凹部
２２ｃ  テーパ部
２２ｄ  曲率部
２２ｅ  低摩擦層
２３  鍵
【図１】
2006262594.tif 000003
【図２】
2006262594.tif 000004
【図３】
2006262594.tif 000005
【図４】
2006262594.tif 000006
【図５】
2006262594.tif 000007
【図６】
2006262594.tif 000008
【図７】
2006262594.tif 000009
【図８】
2006262594.tif 000010